(57)【要約】空気調和機の室内機及びその開閉板ユニットであって、空気調和機の室内機の開閉板ユニットは、収容キャビティが設けられ、収容キャビティの一方側が組立口を有し他方側が密閉して収容キャビティの底壁となる開閉板取付板と、開閉板取付板に近接する又は離れる方向に移動可能であり、且つ収容キャビティの底壁に近接して設置される開閉板と、開閉板を駆動して移動させるための複数の駆動ユニットであって、いずれも収容キャビティ内に設けられ、各複数の駆動ユニットの一端が収容キャビティの底壁を貫通して開閉板に接続され、複数の駆動ユニットの一端が開閉板に均等に設置される駆動ユニットと、を含む。
2021519905.tif 000002
【特許請求の範囲】
【請求項１】
収容キャビティが設けられ、前記収容キャビティの一方側が組立口を有し他方側が密閉して前記収容キャビティの底壁となる開閉板取付板と、
前記開閉板取付板に近接する又は離れる方向に移動可能であり、且つ前記収容キャビティの底壁に近接して設置される開閉板と、
前記開閉板を駆動して移動させるための駆動ユニットであって、前記駆動ユニットは複数であり、いずれも前記収容キャビティ内に設けられ、各前記駆動ユニットの一端が前記収容キャビティの底壁を貫通して前記開閉板に接続され、複数の前記駆動ユニットの一端が前記開閉板に均等に配置される駆動ユニットと、を含む、
ことを特徴とする空気調和機の室内機の開閉板ユニット。
【請求項２】
前記開閉板取付板は、
通風路が設けられたフレームと、
前記通風路内に設けられる取付部であって、前記収容キャビティが前記取付部に形成され、且つ前記収容キャビティの組立口が、前記取付部の前記開閉板から離れた側に位置する取付部と、
前記取付部を前記通風路内に固定するように、前記フレームと前記取付部との間に接続される接続部材と、を含む、
ことを特徴とする請求項１に記載の空気調和機の室内機の開閉板ユニット。
【請求項３】
前記接続部材は、複数であり、複数の前記接続部材は放射状にそれぞれ前記取付部と前記通風路の内壁との間に接続される、
ことを特徴とする請求項２に記載の空気調和機の室内機の開閉板ユニット。
【請求項４】
前記駆動ユニットは、３つであり、３つの前記駆動ユニットはそれぞれ正三角形の３つの辺に沿った方向で設置される、
ことを特徴とする請求項１〜３のいずれか一項に記載の空気調和機の室内機の開閉板ユニット。
【請求項５】
前記駆動ユニットは、
モータと、
前記モータのモータ軸に嵌合されたギアと、
前記開閉板の移動方向に沿って延びており、且つ前記ギアと噛み合って伝動可能であり、一端が前記収容キャビティの底壁を貫通して前記開閉板に接続されるラックと、を含む、
ことを特徴とする請求項１〜４のいずれか一項に記載の空気調和機の室内機の開閉板ユニット。
【請求項６】
前記駆動ユニットは、ハウジングをさらに含み、前記モータ及び前記ギアがいずれも前記ハウジング内に設けられ、前記ラックが前記ハウジング内で移動可能であり、且つ前記ラックの長さ方向の両端がそれぞれ前記ハウジングから突き出す、
ことを特徴とする請求項５に記載の空気調和機の室内機の開閉板ユニット。
【請求項７】
前記駆動ユニットは、前記ラックの前記開閉板に近接する一端に設けられて前記開閉板に接続される接続部をさらに含み、
前記接続部は、
一方の側面が前記ラックに垂直に接続される接続板と、
前記接続板の他方の側面に設けられ、且つ前記開閉板に取り外し可能に接続される接続カラムと、を含む、
ことを特徴とする請求項５に記載の空気調和機の室内機の開閉板ユニット。
【請求項８】
前記接続カラムは、複数であり、複数の前記接続カラムのうち少なくとも１つがスナップフィット構造を介して前記開閉板に接続され、複数の前記接続カラムのうち少なくとも１つがネジ接続部材を介して前記開閉板に接続される、
ことを特徴とする請求項７に記載の空気調和機の室内機の開閉板ユニット。
【請求項９】
前記開閉板は、底板と蓋板とを含み、前記蓋板が前記底板の前記開閉板取付板から離れた側に設けられ、前記底板に対して前記蓋板が取り外し可能であり、
前記開閉板ユニットは、前記底板の前記開閉板取付板に近接する側に設けられるガイド部をさらに含み、前記開閉板取付板には、前記ガイド部が移動可能なガイド溝が設けられる、
ことを特徴とする請求項１〜８のいずれか一項に記載の空気調和機の室内機の開閉板ユニット。
【請求項１０】
前記底板の中央部には、前記蓋板へ向かって突出した突出部が設けられ、前記突出部の前記蓋板から離れた側には、取付溝が設けられ、前記ガイド部が前記取付溝内に設けられる、
ことを特徴とする請求項９に記載の空気調和機の室内機の開閉板ユニット。
【請求項１１】
前記ガイド部は、端壁と前記端壁の周囲を取り囲んで設置された周囲壁とを含み、前記端壁と前記周囲壁の一部とが前記取付溝内に収容され、前記周囲壁がさらに前記ガイド溝内に移動可能に設けられる、
ことを特徴とする請求項１０に記載の空気調和機の室内機の開閉板ユニット。
【請求項１２】
前記底板と前記ガイド部とは、取り外し可能に接続される、
ことを特徴とする請求項９に記載の空気調和機の室内機の開閉板ユニット。
【請求項１３】
一方側が開放されている外箱底板部材と、
前記外箱底板部材の開放側に設けられ、吹出口を有するパネル部材と、
請求項１〜１２のいずれか一項に記載の空気調和機の室内機の開閉板ユニットであって、前記開閉板取付板が、前記パネル部材の前記外箱底板部材に向いている側に設けられ、前記開閉板が前記吹出口を移動可能に開閉し、前記開閉板が前記吹出口を開放したとき、前記開閉板が前記パネル部材の前記外箱底板部材から離れた側に位置する空気調和機の室内機の開閉板ユニットと、を含む、
ことを特徴とする空気調和機の室内機。
【発明の詳細な説明】
【技術分野】
【０００１】
本発明は、空気処理装置分野に関し、特に空気調和機の室内機の開閉板ユニット、及び該開閉板ユニットを有する空気調和機の室内機に関する。
【背景技術】
【０００２】
関連技術では、空気調和機の室内機の開閉板は、吹出口を開閉するように駆動するための少なくとも１つの駆動装置を有しているが、この構造形態の開閉板の構造には、駆動装置のトルク要求量が大きいため、動作中の駆動装置によるノイズが大きく、動作が不安定となるという問題は存在している。
【発明の概要】
【０００３】
本発明の目的は、少なくとも従来技術に存在する技術問題の１つを解決することである。そのため、本発明は、円滑に動作し、ノイズが低く、耐用年数が長い空気調和機の室内機の開閉板ユニットを提供する。
【０００４】
本発明は、さらに、該開閉板ユニットを有する空気調和機の室内機を提供する。
【０００５】
本発明の第１実施形態に係る空気調和機の室内機の開閉板ユニットは、収容キャビティが設けられ、前記収容キャビティの一方側が組立口を有し他方側が密閉して前記収容キャビティの底壁となる開閉板取付板と、前記開閉板取付板に近接する又は離れる方向に移動可能であり、且つ前記収容キャビティの底壁に近接して設置される開閉板と、前記開閉板を駆動して移動させるための駆動ユニットであって、前記駆動ユニットは複数であり、いずれも前記収容キャビティ内に設けられ、各前記複数の駆動ユニットの一端が前記収容キャビティの底壁を貫通して前記開閉板に接続され、複数の前記駆動ユニットの一端が前記開閉板に均等に配置される駆動ユニットと、を含む。
【０００６】
本発明の実施例に係る空気調和機の室内機の開閉板ユニットは、駆動ユニットを収容キャビティ内に設けることにより、収容キャビティを利用して駆動ユニットを外力、強い衝撃による位置ズレや損傷から保護することができ、それにより、開閉板ユニットの耐用年数を伸ばすことができる。さらに、各駆動ユニットの一端が収容キャビティの底壁を貫通して開閉板に接続され、つまり、駆動ユニットと開閉板との間には、物理的壁を有し、それにより、駆動ユニットの一端が収容キャビティの底壁を貫通した後、該底壁により駆動ユニットに一定の支持作用を与えることができ、このようにして開閉板に対する駆動ユニットの駆動の安定性を向上させることができる。また、複数の駆動ユニットで開閉板を駆動することにより、開閉板の移動の安定性をさらに向上させ、各駆動ユニットのトルクを低減させることができ、さらに開閉板ユニットのノイズを低減させることができる。
【０００７】
好ましくは、前記開閉板取付板は、通風路が設けられたフレームと、前記通風路内に設けられた取付部であって、前記収容キャビティが前記取付部に形成され、且つ前記収容キャビティの組立口が、前記取付部の前記開閉板から離れた側に位置する取付部と、前記取付部を前記通風路内に固定するように、前記フレームと前記取付部との間に接続される接続部材と、を含む。
【０００８】
好ましくは、前記接続部材は、複数であり、複数の前記接続部材は放射状にそれぞれ前記取付部と前記通風路の内壁との間に接続される。
【０００９】
好ましくは、前記駆動ユニットは、３つであり、３つの前記駆動ユニットはそれぞれ正三角形の３つの辺に沿った方向で設置される。
【００１０】
好ましくは、前記駆動ユニットは、モーターと、前記モーターのモーター軸に嵌合されたギアと、前記開閉板の移動方向に沿って延びており且つ前記ギアと噛み合って伝動可能であり、一端が前記収容キャビティの底壁を貫通して前記開閉板に接続されるラックと、を含む。
【００１１】
好ましくは、前記駆動ユニットは、ハウジングをさらに含み、前記モーター及び前記ギアがいずれも前記ハウジング内に設けられ、前記ラックが前記ハウジング内で移動可能であり、且つ前記ラックの長さ方向の両端がそれぞれ前記ハウジングから突き出す。
【００１２】
好ましくは、前記駆動ユニットは、前記ラックの前記開閉板に近接する一端に設けられて前記開閉板に接続される接続部をさらに含み、前記接続部は、一方の側面が前記ラックに垂直に接続される接続板と、前記接続板の他方の側面に設けられ、且つ前記開閉板に取り外し可能に接続される接続カラムとを含む。
【００１３】
好ましくは、前記接続カラムは、複数であり、複数の前記接続カラムのうち少なくとも１つがスナップフィット構造を介して前記開閉板に接続され、複数の前記接続カラムのうち少なくとも１つがネジ接続部材を介して前記開閉板に接続される。
【００１４】
好ましくは、前記開閉板は、底板と蓋板とを含み、前記蓋板が前記底板の前記開閉板取付板から離れた側に設けられ、前記底板に対して前記蓋板が取り外し可能であり、前記開閉板ユニットは、前記底板の前記開閉板取付板に近接する側に設けられるガイド部をさらに含み、前記開閉板取付板には、前記ガイド部が移動可能なガイド溝が設けられる。
【００１５】
好ましくは、前記底板の中央部には、前記蓋板へ向かって突出した突出部が設けられ、前記突出部の前記蓋板から離れた側には、取付溝が設けられて、前記ガイド部が前記取付溝内に設けられる。
【００１６】
好ましくは、前記ガイド部は、端壁と前記端壁の周囲を取り囲んで設置された周囲壁とを含み、前記端壁と前記周囲壁の一部とが前記取付溝内に収容され、前記周囲壁がさらに前記ガイド溝内に移動可能に設けられる。
【００１７】
好ましくは、前記底板と前記ガイド部とは、取り外し可能に接続される。
【００１８】
本発明の第２実施形態に係る空気調和機の室内機は、一方側が開放されている外箱底板部材と、前記外箱底板部材の開放側に設けられ、吹出口を有するパネル部材と、本形態に記載の上記空気調和機の室内機の開閉板ユニットであって、前記開閉板取付板が、前記パネル部材の前記外箱底板部材に向いている側に設けられ、前記開閉板が前記吹出口を移動可能に開閉し、前記開閉板が前記吹出口を開放したとき、前記開閉板が前記パネル部材の前記外箱底板部材から離れた側に位置する空気調和機の室内機の開閉板ユニットと、を含む。
【発明の効果】
【００１９】
本発明に係る開閉板ユニットは、上記利点を有するため、該開閉板ユニットを設置することにより、空気調和機の室内機は、開閉板が吹出口をよりスムーズ且つ安定的に開閉し、開閉板が円滑に移動し、ノイズが低く、空気調和機の室内機の耐用年数が長いという対応する利点を有する。
【００２０】
本発明の追加の態様及び利点は、以下の説明において部分的に説明され、その一部は、以下の説明から明らかなになるか、又は本発明を実施することによって把握できる。
【図面の簡単な説明】
【００２１】
本発明の上記及び／又は追加の態様及び利点は、以下の図面を参照しながら実施例を説明することによって明らかで容易に理解できるようになる。
【００２２】
【図１】図１は本発明の実施例に係る開閉板ユニットの構造模式図であり、図中、開閉板は閉状態である。
【図２】図２は本発明の実施例に係る開閉板ユニットの構造模式図であり、図中、開閉板は開状態である。
【図３】図３は本発明の実施例に係る開閉板ユニットの分解図である。
【図４】図４は本発明の実施例に係る開閉板ユニットの別のビューの分解図である。
【図５】図５は本発明の実施例に係る開閉板ユニットの背面図である。
【図６】図６は本発明の実施例に係る開閉板ユニットの構造模式図であり、密封カバーと開閉板取付板の嵌合構造を示す。
【図７】図７は本発明の実施例に係る開閉板ユニットの分解図であり、密封カバーの構造を示す。
【図８】図８は本発明の実施例に係る密封カバーの構造模式図である。
【図９】図９は本発明の実施例に係る駆動ユニットの構造模式図である。
【図１０】図１０は本発明の実施例に係る開閉板ユニット断面図である。
【図１１】図１１は本発明の実施例に係る開閉板の分解図である。
【図１２】図１２は本発明の実施例に係る空気調和機の室内機の構造模式図である。
【図１３】図１３は図１２に示される空気調和機の室内機の断面図である。
【図１４】図１４は図１３中のＡ領域の拡大図であり、図１３と図１４は、開閉板が同時に閉状態と開状態である模式図である。
【発明を実施するための形態】
【００２３】
以下、本発明の実施例を詳細に説明し、前記実施例の例は、図面に示され、同じ又は類似した符号は、一貫して同じ又は類似した素子又は同じ又は類似した機能を有する素子を示す。以下、図面を参照しながら説明する実施例は、例示的なものであり、本発明を解釈するためのものにすぎず、本発明を制限するものとして理解すべきではない。
【００２４】
なお、本発明の説明において、「中心」、「縦方向」、「横方向」、「長さ」、「幅」、「厚さ」、「上」、「下」、「前」、「後」、「左」、「右」、「垂直」、「水平」、「頂」、「底」「内」、「外」、「時計回り」、「反時計回り」、「軸方向」、「半径方向」、「周方向」などのような用語により示される方位又は位置関係は、図面に示される方位又は位置関係に基づくものであり、本発明の説明及び説明の簡単化のために過ぎず、示される装置又は要素が特定方位を有したり、特定方位で構成又は操作されたりすることを指示又は示唆するものではなく、よって、本発明に対する限定としては理解されない。また、「第１」、「第２」により限定される特徴は、１つの又は複数のこの特徴を明示的に、あるいは黙示的に有してもよい。本発明の説明において、「複数」は、特に明記しない限り、２つ又は２つ以上を意味する。
【００２５】
ただし、本発明の説明において、明確に指定又は限定しない限り、「取付」、「連結」、「接続」などの用語は、広義で理解すべきであり、たとえば、固定して接続してもよく、取り外し可能に接続してもよく、又は一体に接続してもよく、機械的に接続してもよく、或いは、電気的に接続してもよく、直接接続してもよく、中間媒体を介した間接的に接続してもよく、２つの要素の内部が連通してもよい。当業者であれば、具体的な状況に応じて上記用語の本発明における具体的な意味を理解し得る。
【００２６】
以下、図１−図１４を参照して本発明の実施例に係る空気調和機の室内機１００の開閉板ユニット１０を説明する。
【００２７】
本発明の実施例に係る空気調和機の室内機１００の開閉板ユニット１０は、開閉板取付板１１と、開閉板１２と、開閉板１２を駆動して移動させる駆動ユニット１３とを含む。
【００２８】
開閉板取付板１１には、収容キャビティ１１１が設けられ、収容キャビティ１１１は、一側に組立口１１２を有し、他側が密閉して収容キャビティ１１１の底壁１１３となり、開閉板１２は、開閉板取付板１１に近接する又は離れる方向において移動可能であり、且つ収容キャビティ１１１の底壁１１３に近接して設置され、駆動ユニット１３は複数あり、それぞれ収容キャビティ１１１内に設けられ、各駆動ユニット１３の一端が収容キャビティ１１１の底壁１１３を貫通して開閉板１２に接続され、複数の駆動ユニット１３の一端が開閉板１２に均等に設置される。好ましくは、ここで、均等に設置されるとは、複数の駆動ユニット１３と開閉板１２との接続部分の間の間隔が互いに等しく、又は複数の駆動ユニット１３と開閉板１２との接続部分を互いに接続してなるパターンが幾何学的な等辺形状、円形などの規則的な形状を有するパターンであることを意味し、それにより、複数の駆動ユニット１３によって開閉板１２に印加された駆動力が均一になり、開閉板１２の円滑な移動が確保される。
【００２９】
本発明の実施例に係る空気調和機の室内機１００の開閉板ユニット１０は、駆動ユニット１３を収容キャビティ１１１に設けることにより、収容キャビティ１１１を利用して駆動ユニット１３を外力、強い衝撃による位置ズレや損傷から保護することができ、それにより、開閉板ユニット１０の耐用年数を延ばすことができる。さらに、各駆動ユニット１３の一端が収容キャビティ１１１の底壁１１３を貫通して開閉板１２に接続され、つまり、駆動ユニット１３と開閉板１２との間には、物理的壁を有し、それにより、駆動ユニット１３の一端が収容キャビティ１１１の底壁１１３を貫通した後、該底壁１１３により駆動ユニット１３に一定の支持作用を与えることができ、このようにして開閉板１２に対する駆動ユニット１３の駆動の安定性を向上させることができる。また、複数の駆動ユニット１３で開閉板１２を駆動することにより、開閉板１２の移動の安定性をさらに向上させ、各駆動ユニット１３のトルクを低減させることができ、さらに開閉板ユニット１０のノイズを低減させることができる。
【００３０】
以下、図面を参照しながら本発明の実施例に係る空気調和機の室内機１００の開閉板ユニット１０を詳細に説明する。
【００３１】
好ましくは、図１−図５に示すように、開閉板取付板１１は、フレーム１１４と、取付部１１５と、接続部材１１６とを含む。フレーム１１４には、通風路１１４１が設けられ、図示したとおり、通風路１１４１は、フレーム１１４を前後方向に貫通して気流を通過可能にし、横断面が略円形に形成されてもよく、開閉板１２の形状が通風路１１４１の形状と同じである。
【００３２】
図１は、本発明の実施例に係る開閉板ユニット１０の構造模式図であり、図においては、開閉板１２が閉状態である場合、開閉板１２は、通風路１１４１を閉じる。図２は、本発明の実施例に係る開閉板ユニット１０の構造模式図であり、開閉板１２が開状態である場合、図においては、開閉板１２は、通風路１１４１を開放し、図２における矢印が開閉板１２の開放方向である。本発明の実施例では、開閉板１２は、前後方向において移動可能である。ここで、「前後方向」とは、空気調和機の室内機１００が所望の位置に取り付けられた後、ユーザーに向いている側を空気調和機の室内機１００の前側、取付壁に向いている側を空気調和機の室内機１００の後側とするように解釈できる。
【００３３】
取付部１１５は、通風路１１４１内に設けられ、収容キャビティ１１１は、取付部１１５に形成され、且つ収容キャビティ１１１の組立口１１２が、取付部１１５の開閉板１２から離れた側に位置する。好ましくは、収容キャビティ１１１の組立口１１２が取付部１１５の後側に位置し、駆動ユニット１３は、後方から前方へ、組立口１１２を介して収容キャビティ１１１の内部に設置される。駆動ユニット１３の前端が収容キャビティ１１１の底壁１１３を貫通して開閉板１２に接続される。
【００３４】
取付部１１５の外壁と通風路１１４１の内壁との間には、接続部材１１６が設置され、接続部材１１６は、取付部１１５を通風路１１４１内に固定するように、フレーム１１４と取付部１１５との間に接続される。好ましくは、図３−図５に示すように、接続部材１１６は、複数であり、複数の接続部材１１６は放射状でそれぞれ取付部１１５と通風路１１４１の内壁との間に接続される。複数の接続部材１１６は、取付部１１５の円周方向で離間しており、放射状で設置される。それにより、取付部１１５とフレーム１１４との間の接続構造を安定させることができる。
【００３５】
好ましくは、図３−図５に示すように、駆動ユニット１３は、３つであり、それぞれ正三角形の３つの辺に沿った方向で設置される。つまり、各駆動ユニット１３は、略直線構造として形成されてもよく、すなわち、各駆動ユニット１３の横断面が平らで直線状の構造としてもよく、３つの駆動ユニット１３は、それぞれ正三角形の３つの辺に沿って配向設置されてもよく、それにより、３つの駆動ユニット１３は、安定した三角形を構成するような位置となり、開閉板１２に接続された場合、開閉板１２との接続部分も三角形に形成され、このようにして、開閉板１２の開閉動作をより円滑にする。
【００３６】
言うまでもないが、本発明は、これに限定されるものではなく、３つの駆動ユニット１３の一端が開閉板１２に均等に設置されればよく、３つの駆動ユニット１３は、開閉板１２に印加する外力が均等である限り、円形、楕円形、他の正多角形などの他の規則的な形状として構成してもよい。
【００３７】
言うまでもないが、本発明は、これに限定されるものではなく、駆動ユニット１３の数は、２つ、４つ又は５つ以上であってもよい。
【００３８】
好ましくは、各駆動ユニット１３の構造をすべて同じとし、これにより、部材の汎用性を高めて金型用部材の点数を減少させる一方、生産効率を向上させることができる。
【００３９】
図９に示すように、好ましくは、駆動ユニット１３は、モーター１３１と、ギア１３２と、ラック１３３とを含み、ギア１３２がモーター１３１のモーター１３１の軸に被せられ、ラック１３３が開閉板１２の移動方向に沿って延びており且つギア１３２と噛み合って伝動可能であり、ラック１３３の一端が収容キャビティ１１１の底壁１１３を貫通して開閉板１２に接続される。ギア１３２とラック１３３の構造を駆動ユニット１３とすることにより、駆動構造を簡素化させて、駆動のトルクを安定的にすることができる。
【００４０】
図９に示すように、駆動ユニット１３は、ハウジング１３４をさらに含み、モーター１３１及びギア１３２がいずれもハウジング１３４内に設けられ、ラック１３３がハウジング１３４内で移動可能であり且つラック１３３の長さ方向の両端がそれぞれハウジング１３４から突き出す。ハウジング１３４を設置することにより、モーター１３１、ギア１３２及びラック１３３を保護して、駆動ユニット１３の構造安定性を確保し、外力による損傷を回避することができる。また、ハウジング１３４を設置することにより、駆動ユニット１３を開閉板取付板１１へ容易に取り付けることができ、取り付けが一層柔軟になる。
【００４１】
好ましくは、ギア１３２が回転して、駆動ラック１３３が開閉板１２の移動方向に沿って移動し、つまり、駆動ラック１３３が前後方向に沿って移動し、それによりラック１３３を利用して開閉板１２を移動駆動することができる。
【００４２】
好ましくは、駆動ユニット１３は、ラック１３３の開閉板１２に近接する一端に設けられて開閉板１２に接続される接続部１３５をさらに含み、接続部１３５を設置することにより、ラック１３３と開閉板１２の接続を容易にする。
【００４３】
好ましくは、接続部１３５は、接続板１３５１と、接続カラム１３５２とを含み、接続板１３５１の一方の側面がラック１３３に垂直に接続され、接続カラム１３５２が接続板１３５１の他方の側面に設けられ且つ開閉板１２に取り外し可能に接続される。図９に示すように、接続板１３５１の後側面がラック１３３に垂直に接続され、接続板１３５１の前側面に接続カラム１３５２が設けられる。接続部１３５は、収容キャビティ１１１の底壁１１３を貫通して開閉板１２に接続されることができ、図１０、図１４に示すように、開閉板１２が開状態である場合、ラック１３３の一部は、前へ移動して収容キャビティ１１１から出ることもできる。
【００４４】
図１０、図１４に示すように、接続板１３５１の前側面が開閉板１２の後壁面に接触してもよく、それにより、開閉板１２との接続構造の安定性を向上させ、開閉板１２と接続部１３５との間の揺れを回避することができる。
【００４５】
好ましくは、接続カラム１３５２は、複数であってもよく、複数の接続カラム１３５２のうち少なくとも１つがスナップフィット構造を介して開閉板１２に接続され、複数の接続カラム１３５２のうち少なくとも１つがネジ接続部材を介して開閉板１２に接続される。つまり、接続部１３５と開閉板１２とは、ネジ接続部材及びスナップフィット構造の両方を介して接続されることができ、それにより、接続の安定性を向上させることができる。
【００４６】
好ましくは、図１１に示すように、開閉板ユニット１０では、開閉板１２は、底板１２１と蓋板１２２とを含み、蓋板１２２が、底板１２１の開閉板取付板１１から離れた側に設けられ、底板１２１に対して蓋板１２２が取り外し可能であることを特徴とする。底板１２１と蓋板１２２との間にはキャビティが形成され、このようにして、開閉板ユニット１０の強度を向上できる一方で、冷却動作をするときの開閉板１２の表面での凝縮水滴の形成を回避することができる。
【００４７】
図１０、図１１、図１４に示すように、開閉板ユニット１０は、底板１２１の開閉板取付板１１に近接する側に設けられるガイド部１５をさらに含み、開閉板取付板１１には、ガイド部１５が移動可能なガイド溝が設けられる。ガイド部１５とガイド溝の嵌合構造により、開閉板１２の前後方向での移動安定性を向上させることができ、開閉板１２が通風路１１４１を順調に開閉することができ、揺れを回避する。
【００４８】
図１０、図１１、図１４に示すように、好ましくは、底板１２１の中央部には、蓋板１２２へ突出した突出部１２１１が設けられ、突出部１２１１の蓋板１２２から離れた側には、取付溝１２１２が設けられ、ガイド部１５が取付溝１２１２内に設けられる。それにより、ガイド部１５の底板１２１での取付構造が安定的になる。好ましくは、底板１２１とガイド部１５が取り外し可能に接続され、それにより対応する部材の交換が容易になる。
【００４９】
好ましくは、ガイド部１５は、端壁１５１と端壁１５１の周囲を取り囲んで設置された周囲壁１５２とを含み、端壁１５１及び周囲壁１５２の一部が取付溝１２１２内に収容され、周囲壁１５２がさらにガイド溝内に移動可能に設けられる。図１４に示すように、周囲壁１５２の前部が取付溝１２１２内に収容されることができ、周囲壁１５２の後部がガイド溝内で移動可能である。
【００５０】
好ましくは、図１４に示すように、開閉板１２の底板１２１とガイド部１５の端壁１５１とは、凸起、凹溝構造を介して嵌合して接続され、開閉板１２の底板１２１がガイド部１５の端壁１５１と互いに密着していてもよい。接続部１３５における接続カラム１３５２は、開閉板１２の底板１２１とガイド部１５の端壁１５１を同時に貫通することができ、それにより開閉板１２に接続され、好ましくは、接続板１３５１は、ガイド部１５の端壁１５１に密着してもよい。
【００５１】
本発明の好ましい実施例では、図６−図８に示すように、開閉板ユニット１０は、密封カバー１４をさらに含んでもよい。密封カバー１４は、開閉板取付板１１に設けられ、且つ収容キャビティ１１１の組立口１１２を覆う。
【００５２】
収容キャビティ１１１の組立口１１２を覆うための密封カバー１４を設置することにより、空気調和機の動作中に熱交換された空気が収容キャビティ１１１に入ることを回避し、冷気が収容キャビティへ吹き込んで結露することを回避し、それにより、駆動ユニット１３の動作空間の密閉性を向上させ、駆動ユニット１３の耐用年数を延ばすことができるとともに、人間の手が外から電線に触れることを回避し、機器の動作の安全性を向上させる。
【００５３】
好ましくは、図６−図８に示すように、密封カバー１４と開閉板取付板１１は取り外し可能に接続される。それにより、密封カバー１４を容易に取り外して内部の駆動ユニット１３をメンテナンスすることができる。好ましくは、密封カバー１４と開閉板取付板１１は、ネジ接続部材を介して接続されてもよく、スナップフィット構造を介して接続されてもよい。
【００５４】
好ましくは、密封カバー１４と開閉板取付板１１のうちの一方には、留め具１４１が設けられ、他方には、係合溝１４２が設けられ、留め具１４１が係合溝１４２に係合される。それにより、密封カバー１４と開閉板取付板１１との取り付けや取り外しが容易になり、工具の使用が減少する。
【００５５】
さらに、図７に示すように、好ましくは、開閉板取付板１１において、複数の係合溝１４２が、収容キャビティ１１１の組立口１１２の周りに設けられ、複数の留め具１４１が、密封カバー１４の開閉板取付板１１に向いている側に設けられ、複数の留め具１４１と複数の係合溝１４２は、１対１に対応して係合される。それにより、密封カバー１４と開閉板取付板１１は、複数組の留め具−係合溝構造を介して取り付けられ、取付構造がより安定になり、互いに脱落しにくくなる。
【００５６】
さらに、複数の係合溝１４２は、すべて開閉板取付板１１の取付部１１５に形成される。図７に示すように、複数の係合溝１４２は、取付部１１５の後端面に形成され、且つ収容キャビティ１１１の組立口１１２の円周方向に設置されてもよい。それにより、密封カバー１４は、留め具１４１を介して取付部１１５に接続され、且つ該収容キャビティ１１１の組立口１１２を覆う。それにより、取付部１１５と密封カバー１４は、収容キャビティ１１１を密封して、収容キャビティ１１１を外界から隔離された環境とし、駆動ユニット１３の設置の安全性を確保する。
【００５７】
図６及び図７に示すように、収容キャビティ１１１に連通する配線溝１１７が開閉板取付板１１に設けられる。配線溝１１７は、駆動ユニット１３と外部電源を接続するための電線を収容し、配線溝１１７を設置することにより電線の取り付けを容易にし、且つ電線を配線溝１１７に収容することにより、外力に起因する電線の損傷を防止することができ、それにより安全性を向上させる。好ましくは、配線溝１１７の開口が収容キャビティ１１１の組立口１１２の向きと同じである。
【００５８】
好ましくは、図６−図８に示すように、配線溝１１７を覆うための配線溝蓋板１４３が密封カバー１４に設けられる。配線溝蓋板１４３を設置することにより、ワイヤーが外界へ露出することを回避し、人間の手が電線に触れることを回避して、安全上のリスクを低減させ、取り付けへの要求を満たす。
【００５９】
好ましくは、図６−図８に示すように、収容キャビティ１１１から離れる方向へ突出した突出溝１４４が密封カバー１４に設けられ、突出溝１４４は、ラック１３３を収容することができる。駆動ユニット１３が開閉板１２を駆動して前後方向に沿って移動させる過程で、ラック１３３も前後方向に沿って移動し、密封カバー１４に突出溝１４４を設置することにより、ラック１３３の移動のために逃し空間を提供し、このようにして、収容キャビティ１１１をコンパクト化し、製品の空間利用率を向上させることができる。
【００６０】
以下、図１２−図１４を参照しながら本発明の第２実施形態に係る空気調和機の室内機１００を説明する。ただし、空気調和機の室内機１００は、キャビネット空気調和機であってもよく、または掛け型空気調和機であってもよい。
【００６１】
本発明の実施例に係る空気調和機の室内機１００は、外箱底板部材２０と、パネル部材３０と、空気調和機の室内機１００の開閉板ユニット１０とを含む。空気調和機の室内機１００の開閉板ユニット１０は、上記本発明の第１実施形態に係る空気調和機の室内機１００の開閉板ユニット１０である。
【００６２】
外箱底板部材２０の一方側は、開放されており、パネル部材３０が外箱底板部材２０の開放側に設けられ、パネル部材３０には、吹出口が設けられる。開閉板取付板１１は、パネル部材３０の外箱底板部材２０に向いている側に設けられ、開閉板１２は、吹出口を移動可能に開閉し、開閉板１２が吹出口を開放したとき、開閉板１２は、パネル部材３０の外箱底板部材２０から離れた側に位置する。
【００６３】
開閉板取付板１１における通風路１１４１は、該吹出口に対応して設置され、開状態である場合、開閉板１２は、通風路１１４１及び吹出口を開放し、すなわち、空気調和機の室内機１００が停止するときに吹出口を閉じ、それにより外部の不純物が空気調和機の室内機１００の内部に入ることを防止することができる。閉状態である場合、開閉板１２は、吹出口及び通風路１１４１を開放し、それにより、空気調和機の室内機１００が正常に動作し、処理された気流を吹出口から排出し、室内の環境を調和することができる。
【００６４】
本発明に係る上記開閉板ユニット１０は上記利点を有するため、該開閉板ユニット１０を設置することにより、空気調和機の室内機１００は、開閉板１２が吹出口をよりスムーズ且つ安定的に開閉し、開閉板１２が円滑に移動し、ノイズが低く、空気調和機の室内機１００の耐用年数が長いという対応する利点を有する。
【００６５】
好ましくは、パネル部材３０には、複数の吹出口が設けられてもよい。空気調和機の室内機１００は、複数のファンを含んでもよく、複数のファンは、それぞれ複数の吹出口に対応して設置されてもよい。好ましくは、図１２に示すように、吹出口は、２つであってもよく、第１吹出口３１には、第１ファン４０が対応して設けられ、第２吹出口３２には、第２ファン５０が対応して設けられるようにしてもよい。開閉板ユニット１０は、第２吹出口３２を開閉するように第２吹出口３２に対応して設けられる。
【００６６】
第１ファン４０は、第１インペラー５１と第２インペラー５１からなる二重反転ファンを含み、すなわち、第１インペラー５１の羽根の傾斜方向と第２インペラー５１の羽根の傾斜方向とが反対であり、第１インペラー５１と第２インペラー５１が空気の流動方向において互いにガイド羽根となり、気流の接線方向の回転速度を低減（第１インペラー５１と第２インペラー５１の回転数が異なる場合）又は解消（第１インペラー５１と第２インペラー５１の回転数が同じである場合）を解消し（すなわち、動圧から静圧へ変換する）、空気に対する二重反転ファンの仕事効率を向上させ、且つ２つのインペラー５１を通過した気流がすべて吹出口の方向へ流れるため、遠距離送風の効果を実現する。ただし、単一のクロスフローファン、軸流ファン又は斜流ファンに比べて、第１インペラー５１と第２インペラー５１が異なる速度で逆方向に回転するか、同じ速度で逆方向に回転するかに関わらず、二重反転ファンは、より遠距離の送風を実現できる。
【００６７】
また、第１インペラー５１と第２インペラー５１とが異なる回転数である場合、冷気の輸送範囲を大きくすることができる。一方のインペラー５１が高い回転数で回転し他方のインペラー５１が低い回転数で回転するとき、回転数の高いインペラー５１は、主導的な役割を果たし、軸流インペラー５１又は斜流インペラー５１自体が送風効果を有するように、単独の軸流ファン又は斜流ファンの羽根の気流の出口角度に基づいて、回転軸からずれる方向を設計し、軸流インペラー５１又は斜流インペラー５１自体に風の拡散効果を持たせたので、第１吹出口３１から流れた冷気の角度範囲が大きく、広角度で送風することを実現する。また、同様に、軸流インペラー５１又は斜流インペラー５１自体が風の拡散効果を有することにより、必要に応じて第１インペラー５１と第２インペラー５１が差動回転するようにこれらの回転数を調整し、それにより風を柔らかくする送風又は無風感の送風を実現し、冷気が第１吹出口３１からユーザーへ直接吹き出すことによるユーザーへの不快感を回避することができる。従って、本実用新案の実施例の空気調和機の室内機１００は、微孔付きのシュラウドを使用せずに風を柔らかくする送風又は無風感送風を実現することができ、風量の損失が少ない。ただし、広角度の送風及び無風感の送風を実現するために、一方のインペラー５１に対応するモーター１３１が動作せず、他方のインペラー５１が第１吹出口３１側へ正方向に送風するようにしてもよい。また、広角度の送風及び無風感の送風を実現するために、一方のインペラー５１がパネルユニットの内側へ逆方向に送風し、他方のインペラー５１が正方向に送風するようにしてもよい。「正方向送風」とは、インペラー５１の作用により気流が第１吹出口３１から流れることであり、「逆方向送風」とは、気流がパネルユニットの内側へ吹き込むことである。
【００６８】
好ましくは、図１３及び図１４に示すように、空気調和機の室内機１００は、モーター保護部材５３をさらに含み、第２ファン５０は、開閉板ユニット１０のパネル部材３０から離れた側に設けられ、インペラー５１と駆動モーター５２とを含み、インペラー５１が外箱底板部材２０とパネル部材３０との間に設けられて吹出口へ向けて送風し、駆動モーター５２がインペラー５１を回転駆動し、モーター保護部材５３のカバーは、駆動モーター５２の外部に設けられ、且つモーター保護部材５３の開閉板ユニット１０に向いている側が開放しており、密封カバー１４の少なくとも一部は、モーター保護部材５３の内部に収容される。それにより、製品構造をよりコンパクト化することができる。
【００６９】
好ましくは、モーター保護部材５３のカバーと密封カバー１４とは、互いに接触してもよく、たとえば、モーター保護部材５３のカバーの先端が密封カバー１４の後端面に接触してもよく、それによりモーター保護部材５３のカバーは、この密封カバー１４に当接力を印加し、さらに、密封カバー１４の取付安定性を向上させることができる。
【００７０】
本明細書の説明において、用語「一実施例」、「いくつかの実施例」、「例示的な実施例」、「例」、「具体例」、又は「いくつかの例」等を参照した説明は、該実施例又は例と組み合わせて説明されている特定の特徴、構造、材料又は特性が、本発明の少なくとも１つの実施例又は例に含まれることを意味する。本明細書において、上記用語の例示的な表現は、必ずしも同じ実施例又は例を意味するわけではない。さらに、説明された特定の特徴、構造、材料又は特性が、任意の１つ又は複数の実施例又は例においては適切な組み合わせで一体化されていてもよい。
【００７１】
本発明の実施例を例示して説明したが、当業者であれば、本発明の原理や精神から逸脱することなく、これらの実施例に対して様々な変更、改定、置換や変形を行うことができ、本発明の範囲が特許請求の範囲及びその等価物により限定されることが理解できる。
【符号の説明】
【００７２】
１００…空気調和機の室内機、１０…開閉板ユニット、１１…開閉板取付板、１１１…収容キャビティ、１１２…組立口、１１３…収容キャビティの底壁、１１４…フレーム、１１４１…通風路、１１５…取付部、１１６…接続部材、１１７…配線溝、１２…開閉板、１２１…底板、１２１１…突出部、１２１２…取付溝、１２２…蓋板、１３…駆動ユニット、１３１…モーター、１３２…ギア、１３３…ラック、１３４…ハウジング、１３５…接続部、１３５１…接続板、１３５２…接続カラム、１４…密封カバー、１４１…留め具、１４２…係合溝、１４３…配線溝蓋板、１４４…突出溝、１５…ガイド部、１５１…端壁、１５２…周囲壁、２０…外箱底板部材、３０…パネル部材、３１…第１吹出口、３２…第２吹出口、４０…第１ファン、５０…第２ファン、５１…インペラー、５２…駆動モーター、５３…モーター保護部材。
【図１】
2021519905.tif 000003
【図２】
2021519905.tif 000004
【図３】
2021519905.tif 000005
【図４】
2021519905.tif 000006
【図５】
2021519905.tif 000007
【図６】
2021519905.tif 000008
【図７】
2021519905.tif 000009
【図８】
2021519905.tif 000010
【図９】
2021519905.tif 000011
【図１０】
2021519905.tif 000012
【図１１】
2021519905.tif 000013
【図１２】
2021519905.tif 000014
【図１３】
2021519905.tif 000015
【図１４】
2021519905.tif 000016
【国際調査報告】
2021519905.tif 000017
2021519905.tif 000018
2021519905.tif 000019
2021519905.tif 000020